(57)【要約】      （修正有）【課題】使用者の身体の少なくとも一部を支持する部位を有する身体支持構造体において、快適性および安心感を向上させること。【解決手段】使用者の身体の少なくとも一部を支持する支持部２を備える身体支持構造体であって、支持部は、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、損失正接の極大値が０．５以上３．５以下であるシート状部材Ｓによって構成されており、支持部を保持するフレーム部３をさらに備えている。【選択図】図１
0003233800.tif 000002
【実用新案登録請求の範囲】
【請求項１】
使用者の身体の少なくとも一部を支持する支持部を備える身体支持構造体であって、
前記支持部は、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下であるシート状部材によって構成されている、
身体支持構造体。
【請求項２】
前記シート状部材は、４−メチル−１−ペンテン系重合体により構成され、
前記４−メチル−１−ペンテン系重合体は、４−メチル−１−ペンテン由来の構成単位と炭素原子数２〜３の直鎖状α−オレフィン由来の構成単位とを含んでいる、
請求項１に記載の身体支持構造体。
【請求項３】
前記支持部を保持するフレーム部をさらに備えている、
請求項１または２に記載の身体支持構造体。
【請求項４】
前記支持部のみによって構成されている、
請求項１または２に記載の身体支持構造体。
【請求項５】
前記支持部は、前記シート状部材の下側に配置されている弾性部材をさらに有している、
請求項１から４のいずれか１項に記載の身体支持構造体。
【請求項６】
前記支持部は、前記使用者の少なくとも臀部を支持する、
請求項１から５のいずれか一項に記載の身体支持構造体。
【請求項７】
前記支持部は、前記使用者の少なくとも背を支持する、
請求項１から６のいずれか一項に記載の身体支持構造体。
【請求項８】
前記支持部は、前記使用者の少なくとも頭部を支持する、
請求項１から７のいずれか一項に記載の身体支持構造体。
【請求項９】
前記シート状部材は、発泡体を含む、
請求項１から８のいずれか一項に記載の身体支持構造体。
【請求項１０】
前記支持部は、少なくとも前記使用者の身体と接触する面にカバー部材をさらに有している、
請求項１から９のいずれか一項に記載の身体支持構造体。
【請求項１１】
前記身体支持構造体は、家具である、
請求項１から１０のいずれか一項に記載の身体支持構造体。
【請求項１２】
昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下であるシート状部材によって座面が構成されている、椅子。
【請求項１３】
前記シート状部材は、４−メチル−１−ペンテン系重合体により構成され、
前記４−メチル−１−ペンテン系重合体は、４−メチル−１−ペンテン由来の構成単位と炭素原子数２〜３の直鎖状α−オレフィン由来の構成単位とを含んでいる、
請求項１２に記載の椅子。
【請求項１４】
前記座面を保持するフレーム部をさらに備えている、
請求項１２または１３に記載の椅子。
【請求項１５】
前記シート状部材は、発泡体を含む、
請求項１２から１４のいずれか一項に記載の椅子。
【請求項１６】
前記座面は、少なくとも使用者の身体と接触する面にカバー部材をさらに有している、
請求項１２から１５のいずれか一項に記載の椅子。
【請求項１７】
使用者の身体の少なくとも一部を支持する支持部を備えるクッションであって、
前記支持部は、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下である シート状部材によって構成され、
前記シート状部材は、４−メチル−１−ペンテン系重合体により構成され、
前記４−メチル−１−ペンテン系重合体は、４−メチル−１−ペンテン由来の構成単位と炭素原子数２〜３の直鎖状α−オレフィン由来の構成単位とを含んでいる、クッション。
【請求項１８】
前記シート状部材は、無発泡体であり、
前記シート状部材が相互に接合されて内部に空気を保持する中空形状に構成されている、請求項１７に記載のクッション。
【請求項１９】
前記シート状部材は、無発泡体の第１のシート状部材、および、前記第１のシート状部材に積層されている発泡体の第２のシート状部材によって構成され、
前記支持部は、前記第２のシート状部材が前記使用者の身体に接触する側に位置するように配置されている、
請求項１８に記載のクッション。
【請求項２０】
前記支持部は、少なくとも前記使用者の身体と接触する面にカバー部材をさらに有している、
請求項１７から１９のいずれか一項に記載のクッション。
【請求項２１】
昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下であるシート状部材によって支持面が構成されている、ベッド。
【考案の詳細な説明】
【技術分野】
【０００１】
本開示は、身体支持構造体、家具、椅子およびベッドに関するものである。
【背景技術】
【０００２】
従来から、使用者の身体の少なくとも一部を支持する部位を有する椅子およびベッドなどの家具において、使用者の身体を支持する部位が使用者の身体にフィットすることで、使用者の快適性や安心感を向上させることが行われている。例えば、特許文献１には、背もたれの曲率および位置が調整されることによって、使用者のフィット感を高めることができる椅子が開示されている。
【０００３】
また、特許文献２には、就寝する際に使用者が接触する面に、低反発ウレタン層を配置することによって、使用者の身体のラインに沿ってフィットするマットレスが開示されている。
【０００４】
さらに、特許文献３には、内袋に円柱状のヒノキチップが充填されている枕が開示されている。ヒノキチップが円柱状であることによって、優しい感触が得られるとともに、ヒノキチップ同士が締め固められないため、使用者は、寝返りを繰り返しても適度なフィット感を継続して得ることができる。
【先行技術文献】
【特許文献】
【０００５】
【特許文献１】登録実用新案第３２１６１５２号公報
【特許文献２】登録実用新案第３１８１４６６号公報
【特許文献３】登録実用新案第３２３０５１１号公報
【考案の概要】
【考案が解決しようとする課題】
【０００６】
使用者の身体の少なくとも一部を支持する部位を有する家具等を含む身体支持構造体においては、快適性および安心感をさらに向上させたいという要望がある。
【０００７】
本開示は、使用者の身体の少なくとも一部を支持する部位を有する身体支持構造体において、快適性および安心感を向上させることを目的とする。
【課題を解決するための手段】
【０００８】
上記目的を達成するために、本開示の身体支持構造体は、使用者の身体の少なくとも一部を支持する支持部を備える身体支持構造体であって、支持部は、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、損失正接の極大値が０．５以上３．５以下であるシート状部材によって構成されている。
【考案の効果】
【０００９】
本開示の身体支持構造体によれば、快適性および安心感を向上させることができる。
【図面の簡単な説明】
【００１０】
【図１】本開示の第１実施形態に係る身体支持構造体の斜視図
【図２】図１に示すフレーム部の斜視図
【図３】本開示の第２実施形態に係る身体支持構造体の斜視図
【図４】図３に示す身体支持構造体が折りたたまれている状態を示す図
【図５】本開示の第３実施形態に係る身体支持構造体の斜視図
【図６】図４に示すフレーム部の斜視図
【図７】本開示の第４実施形態に係る身体支持構造体の斜視図
【図８】本開示の第５実施形態に係る身体支持構造体の斜視図
【図９】本開示の第５実施形態の変形例に係る身体支持構造体の斜視図
【図１０】本開示の第６実施形態に係る身体支持構造体の斜視図
【図１１】本開示の第６実施形態の変形例に係る身体支持構造体の平面図
【図１２】本開示の第６実施形態の変形例に係る身体支持構造体の平面図
【図１３】本開示の第７実施形態に係る身体支持構造体の斜視図
【図１４】本開示の各実施形態の変形例に係るシート状部材の平面図
【図１５】本開示の各実施形態の変形例に係るシート状部材の断面図
【図１６】本開示の各実施形態の変形例に係るカバー部材の斜視図
【考案を実施するための形態】
【００１１】
以下、本開示の身体支持構造体について図面を参照しながら説明する。本開示の身体支持構造体は、使用者の身体の少なくとも一部を支持する支持部を備えている。本開示の身体支持構造体は、家具及び家具以外の構造体を含むものである。家具は、以下に限定されるものではないが、背もたれがある椅子、背もたれがない椅子、座椅子、キャンプ用椅子、ソファ、オットマン、肘掛け、ベンチ、ベッド、マットレス、ハンモック、枕、抱き枕、座布団、および、クッションなどである。家具以外の構造体は、以下に限定されるものではないが、自動車用シート、飛行機用シート、自転車用サドル、理美容院で使用される椅子、歯科医で使用される診療台、医療用ベッド、および、手術台などである。
【００１２】
＜第１実施形態＞
本開示の第１実施形態に係る身体支持構造体について、図１および図２を参照しながら説明する。第１実施形態に係る身体支持構造体は、家具として用いられる椅子１である。椅子１は、背もたれを有している。椅子１は、支持部２およびフレーム部３を備えている。
【００１３】
支持部２は、使用者の身体の少なくとも一部を支持するものである。支持部２は、第１の支持部２ａおよび第２の支持部２ｂを有している。
【００１４】
第１の支持部２ａは、椅子１の座面を構成する。第１の支持部２ａは、使用者の臀部を支持する。第２の支持部２ｂは、椅子１の背もたれを構成する。第２の支持部２ｂは、使用者の背を支持する。第１の支持部２ａおよび第２の支持部２ｂは、シート状部材Ｓによって構成されている。
【００１５】
シート状部材Ｓは、４−メチル−１−ペンテン系重合体により構成されている。４−メチル−１−ペンテン系重合体は、４−メチル−１−ペンテン由来の構成単位と炭素原子数２〜３の直鎖状α−オレフィン由来の構成単位とを含んでいる。
【００１６】
また、シート状部材Ｓは、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、損失正接の極大値が０．５以上３．５以下であるという性質を有している。
【００１７】
第１の支持部２ａを構成するシート状部材Ｓに使用者が座ると、使用者の体温（およそ３６℃）がシート状部材Ｓに伝わり、かつ、使用者の体重がシート状部材Ｓに作用することによって、シート状部材Ｓは、使用者の臀部の形状に沿うように変形する。このように、シート状部材Ｓは、使用者が接触する部位にフィットするように変形する。すなわち、シート状部材Ｓは、形状追従性を有する。
【００１８】
また、使用者が離れた後において、シート状部材Ｓが元の形状に戻る速度は、緩やかである。これは、シート状部材Ｓが変形する際に与えられる力学的エネルギーの多くが熱エネルギーに変換されるためと考えられている。よって、第１の支持部２ａから使用者が離れても、シート状部材Ｓは、しばらくの間、変形した形状を保持する。すなわち、シート状部材Ｓは、形状保持性を有する。
【００１９】
シート状部材Ｓの厚みは、例えば、０．１ｍｍ以上３０ｍｍ以下の範囲であり、好ましくは０．２ｍｍ以上２０ｍｍ以下の範囲であり、より好ましくは、０．３ｍｍ以上１２ｍｍ以下の範囲である。
【００２０】
また、シート状部材Ｓは、発泡体である。シート状部材Ｓが発泡体である場合、無発泡体のシート状部材Ｓに比べて、シート状部材Ｓは、柔軟性を有する。なお、シート状部材Ｓは、無発泡体でもよい。
【００２１】
このように、シート状部材Ｓは、柔軟性、形状保持性および形状追従性の性能バランスに優れる部材である。
【００２２】
シート状部材Ｓは、平面視矩形状に形成されており、フレーム部３に保持されている。
【００２３】
フレーム部３は、一対の前脚部３ａ、貫部３ｂ、一対の後脚部３ｃ、一対の側座枠部３ｄ、後座枠部３ｅ、および、一対の背柱部３ｆが組合せられることにより、構成されている。一対の前脚部３ａ、貫部３ｂ、一対の後脚部３ｃ、一対の側座枠部３ｄ、後座枠部３ｅ、および、一対の背柱部３ｆは、それぞれ、断面矩形状の棒状に形成されている。
【００２４】
第１の支持部２ａを構成するシート状部材Ｓは、一対の側座枠部３ｄに架け渡されるように配置される。第２の支持部２ｂを構成するシート状部材Ｓは、一対の背柱部３ｆに架け渡されるように配置される。
【００２５】
なお、上記の椅子１は、背もたれを有さなくてもよい。背もたれを有さない椅子は、上記の椅子１において、第２の支持部２ｂ、および、一対の背柱部３ｆを有さない。
【００２６】
＜第２実施形態＞
本開示の第２実施形態に係る身体支持構造体について、主として上記の第１実施形態と異なる部分について、図３および図４を用いて説明する。第２実施形態に係る身体支持構造体は、家具として用いられる折りたたみ可能な椅子である。第２実施形態の椅子１１は、背もたれを有していない。
【００２７】
椅子１１の支持部１２は、座面を構成する（図３）。椅子１１のフレーム部１３は、２つの脚部１３ｇを有している。２つの脚部１３ｇは、それぞれ、平面視矩形状の枠状に形成されている。
【００２８】
また、支持部１２は、２つの脚部１３ｇを互いに相対回転可能に接合する２つの軸部材１４を有している。２つの脚部１３ｇが互いに重なるように回転することによって、椅子が折りたたまれる（図４）。椅子が折りたたまれている状態において、２つに脚部１３ｇにおける互いに対向する１辺それぞれに、支持部１２は保持されている。
【００２９】
椅子１１が折りたたまれている状態から、シート状部材Ｓが平面上に広がるように２つの脚部１３ｇが相対的に回転することによって、支持部１２が広げられることにより、椅子１１は、使用者がシート状部材Ｓに座ることができる状態になる（図３）。
【００３０】
＜第３実施形態＞
本開示の第３実施形態に係る身体支持構造体について、主として上記の第１実施形態と異なる部分について、図５および図６を用いて説明する。第３実施形態に係る身体支持構造体は、家具として用いられるソファ２１である。
【００３１】
ソファ２１の支持部２２は、第１の支持部２２ａ、第２の支持部２２ｂ、および、第３の支持部２２ｃを有する。第１の支持部２２ａは、ソファ２１の座面を構成する。第２の支持部２２ｂは、ソファ２１の背もたれを構成する。第３の支持部２２ｃは、ソファ２１の肘掛けを構成する。第３の支持部２２ｃは、使用者の肘を支持する。
【００３２】
ソファ２１のフレーム部２３は、３つの前脚部２３ａ、３つの後脚部２３ｃ、３つの側座枠部２３ｄ、２つの後座枠部２３ｅ、３つの背柱部２３ｆ、および、２つの肘柱部２３ｈが組合せられることにより、構成されている。肘柱部２３ｈは、側面視Ｕ字状に形成されている。
【００３３】
なお、前脚部２３ａ、後脚部２３ｃ、側座枠部２３ｄ、および、背柱部２３ｆの数が３つに限定されないことは言うまでもない。また、後座枠部２３ｅおよび肘柱部２３ｈの数が２つに限定されないことは言うまでもない。
【００３４】
第１の支持部２２ａを構成するシート状部材Ｓは、３つの側座枠部２３ｄに架け渡されるように配置される。第２の支持部２２ｂを構成するシート状部材Ｓは、３つの背柱部２３ｆに架け渡されるように配置される。第３の支持部２２ｃを構成するシート状部材Ｓは、肘柱部２３ｈの両端を接続するように配置されている。
【００３５】
＜第４実施形態＞
本開示の第４実施形態に係る身体支持構造体について、主として上記の第１実施形態と異なる部分について、図７を用いて説明する。第４実施形態に係る身体支持構造体は、家具として用いられるベッド３１である。
【００３６】
ベッド３１の支持部３２は、支持面（寝床面）を構成する。支持部３２は、使用者Ｍの全身、つまり、臀部、背および頭部を支持する。ベッド３１のフレーム部３３は、平面視矩形状の枠状に形成されている。フレーム部３３の周縁の全周に亘って、シート状部材Ｓが配置されている。
【００３７】
＜第５実施形態＞
本開示の第５実施形態に係る身体支持構造体について、主として上記の第１実施形態と異なる部分について、図８および図９を用いて説明する。第５実施形態に係る身体支持構造体は、家具として用いられる枕４１である。
【００３８】
枕４１の支持部４２は、使用者Ｍの頭部を支持する。枕４１のフレーム部４３は、平面視Ｕ字状の枠状に形成されている。フレーム部４３の周縁に亘って、シート状部材Ｓが配置されている。
【００３９】
なお、シート状部材Ｓは、図９に示されるように、開口Ｈ１を有してもよい。シート状部材Ｓが開口Ｈ１を有する場合、シート状部材Ｓが通気性を有するため、使用者は、顔面をシート状部材Ｓに接触させても鼻や口が塞がれることなく、枕４１を使用することができる。
【００４０】
＜第６実施形態＞
本開示の第６実施形態に係る身体支持構造体について、主として上記の第１実施形態と異なる部分について、図１０から図１２を用いて説明する。第６実施形態に係る身体支持構造体は、家具として用いられるクッション５１である。
【００４１】
クッション５１は、支持部５２のみによって構成されている。クッション５１は、フレーム部を備えていない。支持部５２は、使用者の身体が接触している部位を支持する。
【００４２】
支持部５２は、内部に空気を保持する中空の直方体状に形成されている。支持部５２は、平面視矩形状の６つのシート状部材Ｓを、直方体状になるように接合することによって形成されている。また、６つのシート状部材Ｓは、内部の空気が漏れないように互いに密着して接合されている。また、第６実施形態に係るシート状部材Ｓは、無発泡体である。これにより、クッション５１内部の空気が漏れることを防止することができる。なお、シート状部材Ｓは、空気漏れを防止可能な独立気泡構造を有する発泡体でもよい。また、６つのシート状部材Ｓのうち１つのシート状部材Ｓには、空気栓が配置されてもよい。なお、クッション５１は、椅子および枕としても用いることができる。
【００４３】
また、支持部５２は、曲面を有するように形成されてもよい。例えば、支持部５２は、球状および円柱状等に形成されてもよい。また、図１１に示されるように、支持部１５２は、平面視環状に形成されてもよい。さらに、図１２に示されるように、支持部２５２は、平面視Ｕ字状に形成されてもよい。
【００４４】
＜第７実施形態＞
本開示の第７実施形態に係る身体支持構造体について、主として上記の第６実施形態と異なる部分について、図１３を用いて説明する。第７実施形態に係る身体支持構造体は、マットレス６１である。なお、マットレス６１はクッション５１の一態様である。
【００４５】
マットレス６１は、支持部６２のみによって、中空の直方体状に形成されている。支持部６２は、使用者の全身、つまり、臀部、背および頭部を支持する。支持部６２は、シート状部材Ｓによって内部を複数の空間に区画されている。支持部６２は、内部を４つに区画されているが、区画されている数が４つに限定されないことは、言うまでもない。
【００４６】
＜変形例＞
本開示は、これまでに説明した実施の形態に限定されるものではない。本開示の主旨を逸脱しない限り、各種変形を本実施の形態に施したものや、異なる実施の形態における構成要素を組み合わせて構築される形態も、本開示の範囲内に含まれる。
【００４７】
例えば、上記の各実施形態において、シート状部材Ｓの下側に、弾性部材（例えば発泡ウレタン、エアセル、スプリング）を配置してもよい。
【００４８】
また、上記の各実施形態において、シート状部材Ｓは、図１５に示されるように、無発泡体の第１のシート状部材Ｓ１、および、第１のシート状部材Ｓ１に積層されている発泡体の第２のシート状部材Ｓ２によって構成されてもよい。第１のシート状部材および第２のシート状部材は、発泡状態が互いに異なるのみであり、上記のシート状部材Ｓの特性と同等の特性を有する。また、各実施形態における支持部２〜６２は、第２のシート状部材Ｓ２が使用者の身体に接触する側に位置するように配置されている。第２のシート状部材Ｓ２が使用者の身体に接触する側に位置する支持部は、第１のシート状部材Ｓ１が使用者の身体に接触する側に位置する場合に比べて、使用者の触感を向上させることができる。なお、支持部２〜６２は、第１のシート状部材Ｓ１が使用者の身体に接触する側に位置するように配置されてもよい。また、第１のシート状部材Ｓ１および第２のシート状部材Ｓ２のうち一方のシート状部材が、シート状の弾性体（例えば発泡ウレタン）やその他の素材（例えばシート状のポリ塩化ビニル）によって構成されてもよい。
【００４９】
また、上記の各実施形態において、身体支持構造体は、カバー部材をさらに備えてもよい。カバー部材は、支持部において、少なくとも使用者の身体と接触する面に配置される。カバー部材は、例えば、布によって構成されている。カバー部材は、例えば、シート状に形成され、椅子１の座面に配置される。また、図１６に示されるように、カバー部材４は、クッション５１を覆う直方体状に形成されてもよい。カバー部材によって、使用者の触感を向上させることができる。また、カバー部材が吸水性を有する布等によって構成されている場合、カバー部材が使用者の汗を吸収するため、使用者の触感をさらに向上させることができる。
【００５０】
また、上記の第１実施形態から第５実施形態において、シート状部材Ｓが、図１４に示されるように、複数の貫通穴Ｈ２を有するようにしてもよい。シート状部材Ｓは、複数の貫通穴Ｈ２によって通気性を有する。なお、貫通穴Ｈ２の形状が平面視矩形状に限定されないことは言うまでもない。
【００５１】
また、上記の第６実施形態のクッション５１および第７実施形態のマットレス６１において、内部に弾性部材および複数のビーズ等を収納してもよい。
【産業上の利用可能性】
【００５２】
使用者の身体の少なくとも一部を支持する支持部を有する身体支持構造体に広く利用可能である。
【符号の説明】
【００５３】
１  椅子
２  支持部
２ａ  第１の支持部
２ｂ  第２の支持部
３  フレーム部
２１  ソファ
３１  ベッド
４１  枕
５１  クッション
６１  マットレス
Ｓ  シート状部材
【図１】
0003233800.tif 000003
【図２】
0003233800.tif 000004
【図３】
0003233800.tif 000005
【図４】
0003233800.tif 000006
【図５】
0003233800.tif 000007
【図６】
0003233800.tif 000008
【図７】
0003233800.tif 000009
【図８】
0003233800.tif 000010
【図９】
0003233800.tif 000011
【図１０】
0003233800.tif 000012
【図１１】
0003233800.tif 000013
【図１２】
0003233800.tif 000014
【図１３】
0003233800.tif 000015
【図１４】
0003233800.tif 000016
【図１５】
0003233800.tif 000017
【図１６】
0003233800.tif 000018
【手続補正書】
【提出日】令和3年6月10日(2021.6.10)
【手続補正１】
【補正対象書類名】実用新案登録請求の範囲
【補正対象項目名】全文
【補正方法】変更
【補正の内容】
【実用新案登録請求の範囲】
【請求項１】
使用者の身体の少なくとも一部を支持する支持部を備える身体支持構造体であって、
前記支持部は、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下であるシート状部材によって構成されており、
前記支持部を保持するフレーム部をさらに備えている、
身体支持構造体。
【請求項２】
前記シート状部材は、４−メチル−１−ペンテン系重合体により構成され、
前記４−メチル−１−ペンテン系重合体は、４−メチル−１−ペンテン由来の構成単位と炭素原子数２〜３の直鎖状α−オレフィン由来の構成単位とを含んでいる、
請求項１に記載の身体支持構造体。
【請求項３】
前記支持部は、前記シート状部材の下側に配置されている弾性部材をさらに有している、
請求項１または２に記載の身体支持構造体。
【請求項４】
前記支持部は、前記使用者の少なくとも臀部を支持する、
請求項１から３のいずれか一項に記載の身体支持構造体。
【請求項５】
前記支持部は、前記使用者の少なくとも背を支持する、
請求項１から４のいずれか一項に記載の身体支持構造体。
【請求項６】
前記支持部は、前記使用者の少なくとも頭部を支持する、
請求項１から５のいずれか一項に記載の身体支持構造体。
【請求項７】
前記シート状部材は、発泡体を含む、
請求項１から６のいずれか一項に記載の身体支持構造体。
【請求項８】
前記支持部は、少なくとも前記使用者の身体と接触する面にカバー部材をさらに有している、
請求項１から７のいずれか一項に記載の身体支持構造体。
【請求項９】
前記身体支持構造体は、家具である、
請求項１から８のいずれか一項に記載の身体支持構造体。
【請求項１０】
使用者の身体の少なくとも一部を支持する支持部を備える身体支持構造体であって、
前記支持部は、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下であるシート状部材によって構成されており、
前記支持部のみによって構成されている、
身体支持構造体。
【請求項１１】
前記シート状部材は、４−メチル−１−ペンテン系重合体により構成され、
前記４−メチル−１−ペンテン系重合体は、４−メチル−１−ペンテン由来の構成単位と炭素原子数２〜３の直鎖状α−オレフィン由来の構成単位とを含んでいる、
請求項１０に記載の身体支持構造体。
【請求項１２】
前記支持部は、前記シート状部材の下側に配置されている弾性部材をさらに有している、
請求項１０または１１に記載の身体支持構造体。
【請求項１３】
前記支持部は、前記使用者の少なくとも臀部を支持する、
請求項１０から１２のいずれか一項に記載の身体支持構造体。
【請求項１４】
前記支持部は、前記使用者の少なくとも背を支持する、
請求項１０から１３のいずれか一項に記載の身体支持構造体。
【請求項１５】
前記支持部は、前記使用者の少なくとも頭部を支持する、
請求項１０から１４のいずれか一項に記載の身体支持構造体。
【請求項１６】
前記シート状部材は、発泡体を含む、
請求項１０から１５のいずれか一項に記載の身体支持構造体。
【請求項１７】
前記支持部は、少なくとも前記使用者の身体と接触する面にカバー部材をさらに有している、
請求項１０から１６のいずれか一項に記載の身体支持構造体。
【請求項１８】
前記身体支持構造体は、家具である、
請求項１０から１７のいずれか一項に記載の身体支持構造体。
【請求項１９】
昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下であるシート状部材によって座面が構成されている、椅子。
【請求項２０】
前記シート状部材は、４−メチル−１−ペンテン系重合体により構成され、
前記４−メチル−１−ペンテン系重合体は、４−メチル−１−ペンテン由来の構成単位と炭素原子数２〜３の直鎖状α−オレフィン由来の構成単位とを含んでいる、
請求項１９に記載の椅子。
【請求項２１】
前記座面を保持するフレーム部をさらに備えている、
請求項１９または２０に記載の椅子。
【請求項２２】
前記シート状部材は、発泡体を含む、
請求項１９から２１のいずれか一項に記載の椅子。
【請求項２３】
前記座面は、少なくとも使用者の身体と接触する面にカバー部材をさらに有している、
請求項１９から２２のいずれか一項に記載の椅子。
【請求項２４】
使用者の身体の少なくとも一部を支持する支持部を備えるクッションであって、
前記支持部は、昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下である シート状部材によって構成され、
前記シート状部材は、４−メチル−１−ペンテン系重合体により構成され、
前記４−メチル−１−ペンテン系重合体は、４−メチル−１−ペンテン由来の構成単位と炭素原子数２〜３の直鎖状α−オレフィン由来の構成単位とを含んでいる、クッション。
【請求項２５】
前記シート状部材は、無発泡体であり、
前記シート状部材が相互に接合されて内部に空気を保持する中空形状に構成されている、請求項２４に記載のクッション。
【請求項２６】
前記シート状部材は、無発泡体の第１のシート状部材、および、前記第１のシート状部材に積層されている発泡体の第２のシート状部材によって構成され、
前記支持部は、前記第２のシート状部材が前記使用者の身体に接触する側に位置するように配置されている、
請求項２５に記載のクッション。
【請求項２７】
前記支持部は、少なくとも前記使用者の身体と接触する面にカバー部材をさらに有している、
請求項２４から２６のいずれか一項に記載のクッション。
【請求項２８】
昇温速度４℃／ｍｉｎ、周波数１．５９Ｈｚ、歪量０．１％の条件での動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下であるシート状部材によって支持面が構成されている、ベッド。